(57)【要約】  高起動電圧を有する電子バラストは、コンバーターを有する。コンバーターは、切り替え制御信号（５０）に応じ及びＤＣバス（３０）と機能するよう接続された切り替え回路（４０）；検知ＤＣバス電圧信号と基準ＤＣバス電圧信号とを比較し、切り替え制御信号（５０）を生成するＤＣ制御部（４４）；及びＤＣ制御部（４４）と機能するよう接続され、起動ＤＣバス電圧が定常状態ＤＣバス電圧より大きくなるよう、起動時の所定時間の間、前記検知ＤＣバス電圧信号と前記基準ＤＣバス電圧信号との少なくとも１つを調整する起動調整器、を有する。
2008523557.tif 000002
【特許請求の範囲】
【請求項１】
電子バラストのコンバーターであって：
切り替え制御信号に応じ及びＤＣバスと機能するよう接続された切り替え回路；
検知ＤＣバス電圧信号と基準ＤＣバス電圧信号とを比較し、前記切り替え制御信号を生成するＤＣ制御部；及び
前記ＤＣ制御部と機能するよう接続され、起動ＤＣバス電圧が定常状態ＤＣバス電圧より大きくなるよう、起動時の所定時間の間、前記検知ＤＣバス電圧信号と前記基準ＤＣバス電圧信号の少なくとも１つを調整する起動調整器、を有するコンバーター。
【請求項２】
前記起動調整器は、前記検知ＤＣバス電圧信号を調整するＤＣバス電圧帰還調整器である、請求項１記載のコンバーター。
【請求項３】
前記ＤＣバス電圧帰還調整器は、未加工検知ＤＣバス電圧信号に応じ、最終検知ＤＣバス電圧信号を前記検知ＤＣバス電圧信号として生成する、請求項２記載のコンバーター。
【請求項４】
前記起動調整器は、前記基準ＤＣバス電圧信号を調整するＤＣバス電圧基準調整器である、請求項１記載のコンバーター。
【請求項５】
分圧器は前記ＤＣバスと前記共通との間に機能するよう接続され、前記分圧器は直列に接続された第１の抵抗及び第２の抵抗を有し、前記分圧器は前記第１の抵抗と前記第２の抵抗との間の連結部において前記検知ＤＣバス電圧信号を生成し；及び
前記起動調整器は、前記分圧器と機能するよう接続され起動時に前記所定時間の間、前記連結部における電圧を減少するＤＣバス電圧帰還調整器である、請求項１記載のコンバーター。
【請求項６】
分圧器は前記ＤＣバスと共通との間に機能するよう接続され、前記分圧器は直列に接続された第１の抵抗及び第２の抵抗を有し、前記分圧器は前記第１の抵抗と前記第２の抵抗との間の連結部において前記検知ＤＣバス電圧信号を生成し；及び
前記起動調整器は、前記分圧器と機能するよう接続され前記所定時間の後、前記連結部における電圧を増加するＤＣバス電圧帰還調整器である、請求項１記載のコンバーター。
【請求項７】
分圧器は前記ＤＣバスと共通との間に機能するよう接続され、前記分圧器は前記ＤＣバスと連結部との間に接続された第１の抵抗及び前記連結部と前記共通との間に接続された第２の抵抗を有し、前記分圧器は前記連結部において前記検知ＤＣバス電圧信号を生成し；及び
前記起動調整器は、前記第２の抵抗と並列である第３の抵抗を切り替えるＤＣバス電圧帰還調整器である、請求項１記載のコンバーター。
【請求項８】
前記ＤＣバス電圧基準調整器は：
前記連結部と前記共通との間に直列に接続された前記第３の抵抗及びスイッチ、を有し、前記スイッチは、導通のための活性化信号に応じ；
ＲＣ回路は、起動時に前記所定時間の間、前記活性化信号を提供する、請求項７記載のコンバーター。
【請求項９】
前記所定時間は、０．３乃至５．０秒の間である、請求項１記載のコンバーター。
【請求項１０】
前記所定時間は、０．７乃至１.３秒の間である、請求項１記載のコンバーター。
【請求項１１】
前記起動ＤＣバス電圧は約５５０ボルトであり、及び前記定常状態ＤＣバス電圧は約４５０ボルトである、請求項１記載のコンバーター。
【請求項１２】
前記切り替え回路と機能するよう接続された整流器を更に有する、請求項１記載のコンバーター。
【請求項１３】
前記ＤＣバスと機能するよう接続されたランプ駆動装置を更に有する、請求項１記載のコンバーター。
【請求項１４】
高起動電圧の方法であって：
基準ＤＣバス電圧信号を供給する段階；
検知ＤＣバス電圧信号を決定する段階；及び
起動ＤＣバス電圧が定常状態ＤＣバス電圧より大きくなるよう、起動時の所定時間の間、前記検知ＤＣバス電圧信号と前記基準ＤＣバス電圧信号の少なくとも１つを調整する段階、を有する、方法。
【請求項１５】
前記所定時間の後、前記調整する段階を中止する段階、を更に有する請求項１４記載の方法。
【請求項１６】
前記検知ＤＣバス電圧信号を決定する段階は、分圧器で検知ＤＣバス電圧信号を決定する段階を有する、請求項１４記載の方法。
【請求項１７】
前記分圧器はＤＣバスと共通との間に機能するよう接続され、前記分圧器は前記ＤＣバスと連結部との間に接続された第１の抵抗及び前記連結部と前記共通との間に接続された第２の抵抗を有し、前記分圧器は前記連結部において前記検知ＤＣバス電圧信号を生成し、及び前記調整する段階は、前記第２の抵抗にわたる抵抗値を減少する段階を有する、請求項１６記載の方法。
【請求項１８】
前記分圧器はＤＣバスと共通との間に機能するよう接続され、前記分圧器は前記ＤＣバスと連結部との間に接続された第１の抵抗及び前記連結部と前記共通との間に接続された第２の抵抗を有し、前記分圧器は前記連結部において前記検知ＤＣバス電圧信号を生成し、及び前記調整する段階は、前記第１の抵抗にわたる抵抗値を増加する段階を有する、請求項１６記載の方法。
【請求項１９】
前記所定時間は、ＲＣ回路により決定される、請求項１４記載の方法。
【請求項２０】
高起動電圧のシステムであって：
基準ＤＣバス電圧信号を供給する手段；
検知ＤＣバス電圧信号を決定する手段；及び
起動ＤＣバス電圧が定常状態ＤＣバス電圧より大きくなるよう、起動時の所定時間の間、前記検知ＤＣバス電圧信号と前記基準ＤＣバス電圧信号の少なくとも１つを調整する手段、を有する、システム。
【請求項２１】
前記所定時間の後、前記調整する段階を中止する手段、を更に有する請求項２０記載のシステム。
【請求項２２】
前記検知ＤＣバス電圧信号を決定する手段は、分圧器を有する、請求項２０記載のシステム。
【請求項２３】
前記分圧器はＤＣバスと共通との間に機能するよう接続され、前記分圧器は前記ＤＣバスと連結部との間に接続された第１の抵抗及び前記連結部と前記共通との間に接続された第２の抵抗を有し、前記分圧器は前記連結部において前記検知ＤＣバス電圧信号を生成し、及び前記調整する手段は、前記第２の抵抗にわたる抵抗値を減少する手段を有する、請求項２２記載のシステム。
【請求項２４】
前記分圧器はＤＣバスと共通との間に機能するよう接続され、前記分圧器は前記ＤＣバスと連結部との間に接続された第１の抵抗及び前記連結部と前記共通との間に接続された第２の抵抗を有し、前記分圧器は前記連結部において前記検知ＤＣバス電圧信号を生成し、及び前記調整する手段は、前記第１の抵抗にわたる抵抗値を増加する手段を有する、請求項２２記載のシステム。
【請求項２５】
前記所定時間を決定する手段、を更に有する請求項２０記載のシステム。
【発明の詳細な説明】
【技術分野】
【０００１】
本発明は、一般に電子バラストに関し、及びより詳細には高起動電圧を有する電子バラストに関する。
【背景技術】
【０００２】
多くの電子バラストは、現在、電極加熱をすることなく瞬時に起動するために設計されている。これは、瞬時のランプ点灯を提供し、及びランプへのリード線の数を２から１へ低減し、価格及び複雑さを低減する。残念ながら、この構成はまた、ランプ電極がランプ点火前に加熱されないので、ランプを起動するために高電圧を必要とする。複数ランプシステムの電子バラストはまた、独立のランプ動作の提供、つまり１つのランプが故障した場合に他方のランプが点灯したままであることが要求される。この要件を満たすための最も効率的な接続形態は、プッシュプル構成又は電流供給型半ブリッジ構成を利用する電子バラストのような自励発振バラストである。
【０００３】
ランプ設計における最近の発展は、自励発振バラストの問題を生じている。より少ない電力を消費するよりエネルギー効率の良いランプに対するこの要求を満たすため、ランプ内のガス混合は変えられてきた。新たなエネルギー効率の良いランプは、多くの場合、現世代の電子バラストと共に動作するが、エネルギー効率の良いランプは、現世代の電子バラストの起動電圧容量を超え得るより高い起動電圧を必要とする。
【０００４】
エネルギー効率の良いランプに伴う起動の問題の２つの例は、低温及び遠隔に取り付けられたランプである。カ氏ゼロ度のような低温は、より高い起動電圧を必要とする。ランプが電子バラストから離れて取り付けられる遠隔取り付けは、電子バラストと遠隔ランプを接続する２つの線の間のストレイキャパシタンスを生成する。ストレイキャパシタンスはランプで利用可能な電圧を低下するので、より高い起動電圧が電子バラストにおいて必要とされる。
【０００５】
より高い起動電圧を提供する１つの解決法は、単に、より高い電圧をランプに常に提供することである。しかしながら、高電圧動作がシステム構成要素に課すストレスのため、これは可能でない。ランプがオフである無負荷状態では、ランプへの電圧は開路電圧（ＯＣＶ）である。システム構成要素へのストレスは、ＯＣＶの関数であり、及びＯＣＶを制限する。ランプソケットのようなシステム構成要素の絶縁定格のような他の実際の制限もまたＯＣＶを制限する。Ｔ８ランプシステムの定常状態ＯＣＶを制限する実際の設計は、約６００ボルトである。残念ながら、エネルギー効率的なランプに伴う起動問題は、ランプが起動するよう７００ボルトの起動電圧を必要とし得る。
【発明の開示】
【発明が解決しようとする課題】
【０００６】
上述の不利点を克服する高起動電圧を有する電子バラストを有することは、望ましい。
【課題を解決するための手段】
【０００７】
本発明のある態様は、高起動電圧を有する電子バラストにコンバーターを提供する。コンバーターは、切り替え制御信号に応じ及びＤＣバスと機能するよう接続された切り替え回路；検知ＤＣバス電圧信号と基準ＤＣバス電圧信号とを比較し、前記切り替え制御信号を生成するＤＣ制御部；及び前記ＤＣ制御部と機能するよう接続され、起動ＤＣバス電圧が定常状態ＤＣバス電圧より大きくなるよう、起動時の所定時間の間、前記検知ＤＣバス電圧信号と前記基準ＤＣバス電圧信号との少なくとも１つを調整する起動調整器、を有する。
【０００８】
本発明の別の態様は、電子バラストの高起動電圧の方法を提供する。前記方法は、基準ＤＣバス電圧信号を提供する段階；検知ＤＣバス電圧信号を決定する段階；及び起動ＤＣバス電圧が定常状態ＤＣバス電圧より大きくなるよう、起動時の所定時間の間、前記検知ＤＣバス電圧信号と前記基準ＤＣバス電圧信号の少なくとも１つを調整する段階、を有する。
【０００９】
本発明の別の態様は、電子バラストの高起動電圧のシステムを提供する。前記システムは、基準ＤＣバス電圧信号を供給する手段；検知ＤＣバス電圧信号を決定する手段；及び起動ＤＣバス電圧が定常状態ＤＣバス電圧より大きくなるよう、起動時の所定時間の間、前記検知ＤＣバス電圧信号と前記基準ＤＣバス電圧信号の少なくとも１つを調整する手段、を有する。
【００１０】
本発明の前述の及び他の特徴及び利点は、添付の図面と関連して読まれる、現在好適な実施例の以下の詳細な説明から更に明らかになる。詳細な説明及び図は、本発明を単に説明するものであり、添付の請求項により定められる本発明の範囲及びその等価物を制限しない。
【発明を実施するための最良の形態】
【００１１】
図１は、本発明により作成された高起動電圧を有する電子バラストの概略図である。電子バラストは、起動時に、つまり電子バラストに電圧を加える時から所定時間まで、より高い起動電圧をランプへ供給する。起動時の所定時間の後、電子バラストは、定常状態において、つまり所定時間の後、より低い定常状態電圧をランプへ供給する。電子バラストは、所定時間の間、検知ＤＣバス電圧信号と基準ＤＣバス電圧信号の少なくとも１つを変化しＤＣバス電圧信号を増加することにより、より高い起動電圧をランプへ供給する。
【００１２】
電子バラスト２０は、主電源入力２２において主電源電力を受信し、そしてバラスト出力３４においてランプ３６へ電力を供給する。例である電子バラスト２０は、主電源入力２２及び整流器２６と機能するよう接続されたＥＭＩフィルター／保護回路２４を有する。整流器２６は、ＤＣ電力をＤＣ／ＤＣコンバーター２８へ供給する。ＤＣ／ＤＣコンバーター２８は、ＤＣ電力をＤＣバス３０にあるランプ駆動装置３２へ供給する。ランプ駆動装置３２からのＡＣ電力は、バラスト出力３４においてランプ３６へ供給される。代案の実施例では、ＥＭＩフィルター／保護回路２４及び整流器２６は省略され、そしてＤＣ／ＤＣコンバーター２８はＤＣ電源から直接電力を供給される。
【００１３】
ＤＣ／ＤＣコンバーター２８は、切り替え回路４０を有する。切り替え回路４０は、ＤＣ制御部４４からの切り替え制御信号５０に応じて、ＤＣバス３０の電圧を制御するよう切り替わる。ＤＣ制御部４４は、検知ＤＣバス電圧信号を基準ＤＣバス電圧信号と比較し、切り替え制御信号５０を生成する。ＤＣ／ＤＣコンバーター２８は、ＤＣバス電圧帰還調整器４６又はＤＣバス電圧基準調整器４２のような起動調整器を有する。起動調整器は、ＤＣバス３０の起動ＤＣバス電圧がＤＣバス３０の定常状態ＤＣバス電圧より大きくなるよう、検知ＤＣバス電圧信号と基準ＤＣバス電圧信号の少なくとも１つを調整する。これは、所定時間の間のバラスト出力３４におけるランプ３６への起動電圧を増加する。所定時間の後、バラスト出力３４におけるランプ３６への電圧は、定常状態電圧である。
【００１４】
所定時間、起動ＤＣバス電圧、及び定常状態ＤＣバス電圧は、個々の電子バラストの設計及び用途で選択される。所定時間は、ランプを起動させるために十分長い、及びランプシステム構成要素の劣化を回避するために十分短い時間であり得る。ある実施例では、所定時間は約０．３乃至５．０秒である。別の実施例では、所定時間は約０．７乃至１．３秒である。更に別の実施例では、所定時間は約１秒である。起動ＤＣバス電圧及び定常状態ＤＣバス電圧は、それぞれランプの起動電圧及び定常状態電圧を決定する。起動ＤＣバス電圧は、ランプを起動させるために十分大きい、及びランプシステム構成要素の劣化を回避するために十分小さい値を有し得る。ある実験的な例では、電子バラストは、約５５０ボルトの起動ＤＣバス電圧、及びピークピークで約２０００ボルトのバラスト出力におけるランプへの起動電圧、及び約４５０ボルトの定常状態ＤＣバス電圧、及びピークピークで約１６００ボルトのバラスト出力におけるランプへの定常状態電圧を有した。
【００１５】
ある実施例では、起動調整器は、ＤＣバス３０において決定された未加工検知ＤＣバス電圧信号５２を受信するＤＣバス電圧帰還調整器４６である。ＤＣバス電圧帰還調整器４６は、未加工検知ＤＣバス電圧信号５２に応じ、最終検知ＤＣバス電圧信号５４を生成する。ＤＣ制御部４４は、最終検知ＤＣバス電圧信号５４を基準ＤＣバス電圧信号５６と比較し、切り替え制御信号５０を決定する。ＤＣバス電圧帰還調整器４６は、ランプ起動時にアクティブであり、未加工検知ＤＣバス電圧信号５２を下方に調整し、最終検知ＤＣバス電圧信号５４を生成する。切り替え制御信号５０は、低い最終検知ＤＣバス電圧信号５４に応じ、切り替え回路４０にＤＣバス３０の電圧を起動ＤＣバス電圧に設定させる。所定時間の後、ＤＣバス電圧帰還調整器４６は、最終検知ＤＣバス電圧信号５４が未加工検知ＤＣバス電圧信号５２と等しくなるよう、調整を中止する。ＤＣバス３０の電圧は、定常状態動作の間、定常状態ＤＣバス電圧へ減少する。ＤＣバス電圧基準調整器４２は、この実施例では必要に応じて省略され得る。
【００１６】
代案の実施例では、起動調整器は、基準ＤＣバス電圧信号５６をＤＣ制御部４４へ提供するＤＣバス電圧基準調整器４２である。この実施例では、ＤＣバス電圧帰還調整器４６は、省略され得る。つまり、未加工検知ＤＣバス電圧信号５２は、最終検知ＤＣバス電圧信号５４と等しい。ＤＣ制御部４４は、未加工検知ＤＣバス電圧信号５２を基準ＤＣバス電圧信号５６と比較し、切り替え制御信号５０を決定する。ＤＣバス電圧基準調整器４２は、ランプ起動時にアクティブであり、基準ＤＣバス電圧信号５６を起動値へ上方に調整する。切り替え制御信号５０は、高い基準ＤＣバス電圧信号５６に応じ、切り替え回路４０にＤＣバス３０の電圧を起動ＤＣバス電圧に設定させる。所定時間の後、ＤＣバス電圧基準調整器４２は、基準ＤＣバス電圧信号５６が定常状態値に設定されるよう、調整を行うのを中止する。ＤＣバス３０の電圧は、定常状態動作の間、定常状態ＤＣバス電圧になる。
【００１７】
当業者は、ＤＣバス電圧帰還調整器４６が必要に応じてＤＣバス電圧基準調整器４２と結合され用いられ得ることを理解するだろう。検知ＤＣバス電圧信号を基準ＤＣバス電圧信号に対し所望の量だけランプ起動中に変化する如何なる調整も、ＤＣバス３０の電圧を所望の起動電圧へ増加させる。
【００１８】
図２及び図３では、図１と同様の要素は、同様の参照番号を共有する。図２及び図３は、本発明により作成された高起動電圧を有する電子バラストの回路の概略図である。図２及び図３の例では、起動調整器は、検知ＤＣバス電圧信号を調整するＤＣバス電圧基準調整器である。
【００１９】
この実施例では、整流器２６は全ブリッジ整流器であり、ＤＣ／ＤＣコンバーター２８はブースト型力率補正（ＰＦＣ）回路であり、及びランプ駆動装置３２は電流供給型半ブリッジ自励発振回路である。ＤＣ／ＤＣコンバーター２８は、ＳＴ  Ｍｉｃｒｏｅｌｅｃｔｒｏｎｉｃｓ社製の型番Ｌ６５６１のようなＰＦＣ  ＩＣ制御部をＤＣ制御部４４として有する。電源６０は、ＤＣ制御部４４へ電力を供給する。ＤＣ制御部４４は、切り替え制御信号５０を、切り替え回路４０のＭＯＳＦＥＴ  Ｑ１０へ供給する。ＤＣ制御部４４は、検知ＤＣバス電圧信号５３をピンＶｆｂにおいて受信する。検知ＤＣバス電圧信号５３と比較するための基準ＤＣバス電圧信号（示されない）は、ＤＣ制御部４４により内部で生成される。検知ＤＣバス電圧信号５３は、分圧器の連結部６４において生成される。分圧器は、ＤＣバス３０と共通６２との間に直列に接続された抵抗Ｒ１２及びＲ２０を有する。起動調整器は、ＤＣバス電圧帰還調整器４６である。
【００２０】
ＤＣバス電圧帰還調整器４６は、分圧器の抵抗Ｒ２０と並列に接続された、抵抗Ｒ１６及びスイッチＱ１２を有する。ＲＣ回路は、システム電圧Ｖｃｃと共通６２との間に直列に接続された、キャパシターＣ１４及び抵抗Ｒ１４を有し、抵抗Ｒ１８を通じｎｐｎトランジスターであるスイッチＱ１２のベースに活性化信号６６を提供する。ＲＣ回路のキャパシターＣ１４及び抵抗Ｒ１４の値は、ＤＣバス３０の電圧が定常状態ＤＣバス電圧より上の起動ＤＣバス電圧に保持される所定時間を決定する。起動中、キャパシターＣ１４は充電され、及び活性化信号６６はＨｉｇｈであり、従ってスイッチＱ１２は導通し、及び抵抗Ｒ１６は連結部６４と共通６２との間の抵抗Ｒ２０と並列に接続される。これは、ＤＣ制御部４４において検知ＤＣバス電圧信号５３を減少させる。ＤＣ制御部４４は、検知ＤＣバス電圧信号５３と基準ＤＣバス電圧信号を比較し、そして切り替え制御信号５０を切り替え回路４０に設定し、ＤＣバス３０の電圧を起動ＤＣバス電圧に設定する。キャパシターＣ１４が十分に充電され、所定時間を定めると、活性化信号６６はスイッチＱ１２がもはや導通しないよう十分低くなる。ＤＣバス電圧帰還調整器４６はもはやアクティブでなく、ＤＣバス３０の電圧は、検知ＤＣバス電圧信号５３の増加に応じ、起動ＤＣバス電圧から定常状態ＤＣバス電圧へ減少する。
【００２１】
当業者は、起動及び定常状態動作の間で分圧器の相対抵抗値を変化する如何なるＤＣバス電圧帰還調整器も用いられ得ることを理解するだろう。ある実施例では、抵抗Ｒ２０にわたる抵抗値は、上述のように起動時に抵抗Ｒ２０と並列の抵抗の切り替えにより減少される。代案の実施例では、抵抗Ｒ１２にわたる抵抗値は、抵抗Ｒ１２と直列の抵抗の切り替えにより起動時に増加される。同一の結果は、所定時間の後、検知ＤＣバス電圧信号５３を増加することにより達成され得る。ある実施例では、抵抗Ｒ２０にわたる抵抗値は、起動後、抵抗Ｒ２０と直列の抵抗の切り替えにより増加される。代案の実施例では、抵抗Ｒ１２にわたる抵抗値は、抵抗Ｒ１２と並列の抵抗の切り替えにより起動時に減少される。
【００２２】
代案の実施例では、起動調整器は、ＤＣバス電圧基準調整器である。ＤＣ制御部は、基準ＤＣバス電圧信号を生成する離散構成要素を有し得るか、又は基準ＤＣバス電圧信号が調整可能である集積回路であり得る。ＲＣ回路を有するトランジスター切り替え回路は、上述のＤＣバス電圧帰還調整器４６として用いられるものと同様に、基準ＤＣバス電圧信号を起動時の所定時間の間、より高い値へ、及び所定時間の後、より低い値へ切り替えるために用いられ得る。標準的に、トランジスター切り替え回路は、基準ＤＣバス電圧信号を生成する抵抗と直列又は並列に接続された抵抗を切り替える。ＲＣ回路は、所定時間を決定する。
【００２３】
図４は、本発明により作成された高起動電圧を有する電子バラストのＤＣバス電圧の実験から得たトレースである。電子バラストは、図２に記載されたようにＤＣバス電圧帰還調整器を起動調整器として用いた。起動時、起動調整器はアクティブであり、及びＤＣバス電圧はゼロから約５５０ボルトの起動ＤＣバス電圧へ増加する。約１秒の所定時間の後、起動調整器はアクティブであることを中止し、及びＤＣバス電圧は約４５０ボルトの定常状態ＤＣバス電圧へ減少される。当業者は、起動ＤＣバス電圧、所定時間、及び定常状態ＤＣバス電圧の値が、個々の電子バラストで必要に応じて選択され得ることを理解するだろう。
【００２４】
本願明細書に開示された本発明の実施例は、現在好ましいと考えられるが、種々の変化及び変更は、本発明の精神と範囲から逸脱することなくなされ得る。本発明の範囲は、添付の請求項に示される。また等価物の意味及び範囲内の全ての変化は、本発明の範囲に包含される。
【図面の簡単な説明】
【００２５】
【図１】本発明により作成された高起動電圧を有する電子バラストの概略図である。
【図２】本発明により作成された高起動電圧を有する電子バラストの回路の概略図である。
【図３】本発明により作成された高起動電圧を有する電子バラストの回路の概略図である。
【図４】本発明により作成された高起動電圧を有する電子バラストのＤＣバス電圧の実験から得たトレースである。
【図１】
2008523557.tif 000003
【図２】
2008523557.tif 000004
【図３】
2008523557.tif 000005
【図４】
2008523557.tif 000006
【国際調査報告】
2008523557.tif 000007
2008523557.tif 000008